(57)【要約】      （修正有）【課題】プリントされたフレーム付き画像を得たユーザの満足度を向上させる。【解決手段】複数種類のフレームの中からユーザが選択したフレーム、が原画像に付されたフレーム付き画像、をプリントするためのプリントシステムであって、前記原画像上の特定領域、の位置を示す特定領域位置情報を取得するための位置情報取得部と、前記特定領域及び前記複数種類のフレームの内部領域の重複領域、の前記特定領域に対する割合、を示す割合情報、を前記複数種類のフレーム毎に取得するための割合情報取得部と、前記複数種類のフレームの全部又は一部を、選択候補としてユーザに提示するための提示部と、該提示部により提示されたフレームの中からの、ユーザによるフレームの選択、を受け付けるための選択受付部と、該選択受付部にて選択されたフレーム、が前記原画像に付された前記フレーム付き画像をプリントするためのプリント部と、を備えた。【選択図】図１
2007276175.tif 000002
【特許請求の範囲】
【請求項１】
複数種類のフレームの中からユーザが選択したフレーム、が原画像に付されたフレーム付き画像、
をプリントするためのプリントシステムであって、
前記原画像上の特定領域、の位置を示す特定領域位置情報を取得するための位置情報取得部と、
該位置情報取得部により取得された前記特定領域位置情報と、前記複数種類のフレームの内部領域の位置を示す内部領域位置情報と、に基づいて、
前記特定領域及び前記内部領域の重複領域、の前記特定領域に対する割合、を示す割合情報、
を前記複数種類のフレーム毎に取得するための割合情報取得部と、
前記複数種類のフレームの全部又は一部を、ユーザが選択するフレームの候補としてユーザに提示するための提示部であって、前記割合情報取得部が取得した前記割合情報を用いて提示を行う提示部と、
該提示部により提示されたフレームの中からの、ユーザによるフレームの選択、
を受け付けるための選択受付部と、
該選択受付部にてユーザにより選択されたフレーム、が前記原画像に付された前記フレーム付き画像をプリントするためのプリント部と、
を備えたことを特徴とするプリントシステム。
【請求項２】
請求項１に記載のプリントシステムにおいて、
前記提示部は、
前記複数種類のフレームのうち、前記割合情報が示す前記割合が高いフレームを優先的に提示することを特徴とするプリントシステム。
【請求項３】
請求項２に記載のプリントシステムにおいて、
前記提示部は、
前記複数種類のフレームのうち、前記割合が１００％であるフレームのみを提示することを特徴とするプリントシステム。
【請求項４】
請求項２に記載のプリントシステムにおいて、
前記提示部は、
前記複数種類のフレームの全部又は一部を、前記割合の高い順に提示することを特徴とするプリントシステム。
【請求項５】
請求項１に記載のプリントシステムにおいて、
前記提示部は、
前記複数種類のフレームの全部又は一部を、該フレームに前記割合情報を付記して提示することを特徴とするプリントシステム。
【請求項６】
請求項１乃至請求項５のいずれかに記載のプリントシステムにおいて、
前記位置情報取得部により取得された前記特定領域位置情報と、前記複数種類のフレームの内部領域の位置を示す内部領域位置情報と、に基づいて、
前記特定領域の中心と前記内部領域の中心との距離、を示す距離情報、
を前記複数種類のフレーム毎に取得するための距離情報取得部を備え、
前記提示部は、前記距離情報取得部が取得した前記距離情報を用いて提示を行うことを特徴とするプリントシステム。
【請求項７】
請求項６に記載のプリントシステムにおいて、
前記提示部は、
前記複数種類のフレームのうち、前記割合情報が示す前記割合が１００％であるフレーム、
の提示についてのみ、前記距離情報を用いて提示を行うことを特徴とするプリントシステム。
【請求項８】
請求項７に記載のプリントシステムにおいて、
前記提示部は、
前記割合が１００％であるフレームを、前記距離情報が示す前記距離が小さい順に提示することを特徴とするプリントシステム。
【請求項９】
請求項１乃至請求項８のいずれかに記載のプリントシステムにおいて、
前記特定領域の、ユーザによる指定、を受け付けるための指定受付部、を備えたことを特徴とするプリントシステム。
【請求項１０】
請求項１乃至請求項９のいずれかに記載のプリントシステムにおいて、
前記原画像は、人物を被写体とした画像であり、
前記特定領域は、該人物の顔部分に対応した領域であることを特徴とするプリントシステム。
【請求項１１】
複数種類のフレームの中からユーザが選択したフレーム、が原画像に付されたフレーム付き画像、
をプリントするためのプリントシステムであって、
前記原画像上の特定領域、の位置を示す特定領域位置情報を取得するための位置情報取得部と、
該位置情報取得部により取得された前記特定領域位置情報と、前記複数種類のフレームの内部領域の位置を示す内部領域位置情報と、に基づいて、
前記特定領域及び前記内部領域の重複領域、の前記特定領域に対する割合、を示す割合情報、
を前記複数種類のフレーム毎に取得するための割合情報取得部と、
前記複数種類のフレームの全部又は一部を、ユーザが選択するフレームの候補としてユーザに提示するための提示部であって、前記割合情報取得部が取得した前記割合情報を用いて提示を行う提示部と、
該提示部により提示されたフレームの中からの、ユーザによるフレームの選択、
を受け付けるための選択受付部と、
該選択受付部にてユーザにより選択されたフレーム、が前記原画像に付された前記フレーム付き画像をプリントするためのプリント部と、
を備え、
前記提示部は、
前記複数種類のフレームのうち、前記割合情報が示す前記割合が高いフレームを優先的に提示し、
前記提示部は、
前記複数種類のフレームの全部又は一部を、前記割合の高い順に提示し、
前記位置情報取得部により取得された前記特定領域位置情報と、前記複数種類のフレームの内部領域の位置を示す内部領域位置情報と、に基づいて、
前記特定領域の中心と前記内部領域の中心との距離、を示す距離情報、
を前記複数種類のフレーム毎に取得するための距離情報取得部を備え、
前記提示部は、前記距離情報取得部が取得した前記距離情報を用いて提示を行い、
前記提示部は、
前記複数種類のフレームのうち、前記割合情報が示す前記割合が１００％であるフレーム、
の提示についてのみ、前記距離情報を用いて提示を行い、
前記提示部は、
前記割合が１００％であるフレームを、前記距離情報が示す前記距離が小さい順に提示し、
前記特定領域の、ユーザによる指定、を受け付けるための指定受付部、を備え、
前記原画像は、人物を被写体とした画像であり、
前記特定領域は、該人物の顔部分に対応した領域であることを特徴とするプリントシステム。
【請求項１２】
複数種類のフレームの中からユーザが選択したフレーム、が原画像に付されたフレーム付き画像、
の該フレームの候補として、前記複数種類のフレームの全部又は一部をユーザに提示するフレーム提示方法であって、
前記原画像上の特定領域、の位置を示す特定領域位置情報を取得するステップと、
該特定領域位置情報と、前記複数種類のフレームの内部領域の位置を示す内部領域位置情報と、に基づいて、
前記特定領域及び前記内部領域の重複領域、の前記特定領域に対する割合、を示す割合情報、
を前記複数種類のフレーム毎に取得するステップと、
前記複数種類のフレームの全部又は一部を、ユーザが選択するフレームの候補としてユーザに提示するステップであって、前記割合情報を用いて提示を行うステップと、
を備えたことを特徴とするフレーム提示方法。
【発明の詳細な説明】
【技術分野】
【０００１】
本発明は、プリントシステム、及び、フレーム提示方法に関する。
【背景技術】
【０００２】
複数種類のフレームの中からユーザが選択したフレーム、が原画像に付されたフレーム付き画像、をプリントするためのプリントシステムは、既によく知られている。このようなプリントシステムとしては、例えば、ユーザの顔等をカメラで撮影することにより得られる画像を、シールにプリントするプリントシール機（一般的に、プリクラ（登録商標）と呼ばれているもの）等を挙げることができる。
【０００３】
当該プリントシステムは、複数種類のフレームを、ユーザが選択するフレームの候補としてユーザに提示するための提示部と、該提示部により提示されたフレームの中からの、ユーザによるフレームの選択、を受け付けるための選択受付部と、該選択受付部にてユーザにより選択されたフレーム、が前記原画像に付された前記フレーム付き画像をプリントするためのプリント部と、を備えており、提示されたフレームの候補の中からユーザがフレームを選択すると、選択されたフレームが原画像に付されたフレーム付き画像がプリントされるようになっている。
【特許文献１】特開２００４−３４５９７号公報
【発明の開示】
【発明が解決しようとする課題】
【０００４】
上記プリントシステムを利用するユーザは、ユーザに提示される複数種類のフレームの中からフレームを選択した後に、選択されたフレームが原画像に付されたフレーム付き画像がプリントされたプリント物を得ることとなる。  
そのため、プリントシステムを利用するユーザが、フレーム選択の際にはユーザ自身が気に入ったフレームを選択したものの、前記プリント物を得て、選択したフレームが原画像に付されたフレーム付き画像、を見たときにフレームの選択を誤ったと考える場合があり得る。  
そして、上記事項に鑑みると、プリントされたフレーム付き画像を得たユーザの満足度が高くなるようなフレームの選択を、ユーザが適切に行えるようなプリントシステムやフレーム提示方法の実現が要請される。
【０００５】
本発明は、かかる課題に鑑みてなされたものであり、その目的とするところは、プリントされたフレーム付き画像を得たユーザの満足度を向上させることにある。
【課題を解決するための手段】
【０００６】
主たる本発明は、複数種類のフレームの中からユーザが選択したフレーム、が原画像に付されたフレーム付き画像、をプリントするためのプリントシステムであって、前記原画像上の特定領域、の位置を示す特定領域位置情報を取得するための位置情報取得部と、該位置情報取得部により取得された前記特定領域位置情報と、前記複数種類のフレームの内部領域の位置を示す内部領域位置情報と、に基づいて、前記特定領域及び前記内部領域の重複領域、の前記特定領域に対する割合、を示す割合情報、を前記複数種類のフレーム毎に取得するための割合情報取得部と、前記複数種類のフレームの全部又は一部を、ユーザが選択するフレームの候補としてユーザに提示するための提示部であって、前記割合情報取得部が取得した前記割合情報を用いて提示を行う提示部と、該提示部により提示されたフレームの中からの、ユーザによるフレームの選択、を受け付けるための選択受付部と、該選択受付部にてユーザにより選択されたフレーム、が前記原画像に付された前記フレーム付き画像をプリントするためのプリント部と、を備えたことを特徴とするプリントシステムである。
【０００７】
本発明の他の特徴については、本明細書及び添付図面の記載により明らかにする。
【発明を実施するための最良の形態】
【０００８】
本明細書及び添付図面の記載により、少なくとも次のことが明らかにされる。
【０００９】
複数種類のフレームの中からユーザが選択したフレーム、が原画像に付されたフレーム付き画像、をプリントするためのプリントシステムであって、前記原画像上の特定領域、の位置を示す特定領域位置情報を取得するための位置情報取得部と、該位置情報取得部により取得された前記特定領域位置情報と、前記複数種類のフレームの内部領域の位置を示す内部領域位置情報と、に基づいて、前記特定領域及び前記内部領域の重複領域、の前記特定領域に対する割合、を示す割合情報、を前記複数種類のフレーム毎に取得するための割合情報取得部と、前記複数種類のフレームの全部又は一部を、ユーザが選択するフレームの候補としてユーザに提示するための提示部であって、前記割合情報取得部が取得した前記割合情報を用いて提示を行う提示部と、該提示部により提示されたフレームの中からの、ユーザによるフレームの選択、を受け付けるための選択受付部と、該選択受付部にてユーザにより選択されたフレーム、が前記原画像に付された前記フレーム付き画像をプリントするためのプリント部と、を備えたことを特徴とするプリントシステム。  
かかるプリントシステムによれば、プリントされたフレーム付き画像を得たユーザの満足度を向上させることが可能となる。
【００１０】
また、前記提示部は、前記複数種類のフレームのうち、前記割合情報が示す前記割合が高いフレームを優先的に提示することとしてもよい。  
かかる場合には、ユーザが、（フレーム領域が特定領域に）被る領域の範囲がより狭くなる（又は、被る領域が生じない）フレームを選択する可能性が高くなるため、フレーム付き画像を得たユーザの満足度が高くなるようなフレームの選択を、ユーザが適切に行える。
【００１１】
また、前記提示部は、前記複数種類のフレームのうち、前記割合が１００％であるフレームのみを提示することとしてもよい。  
かかる場合には、被る領域が生じるフレームの、ユーザによる選択、が回避されるから、フレーム付き画像を得たユーザの満足度が高くなるようなフレームの選択を、ユーザが適切に行える。
【００１２】
また、前記提示部は、前記複数種類のフレームの全部又は一部を、前記割合の高い順に提示することとしてもよい。  
かかる場合には、ユーザが、被る領域の範囲がより狭くなる（又は、被る領域が生じない）フレームを選択する可能性が高くなるため、フレーム付き画像を得たユーザの満足度が高くなるようなフレームの選択を、ユーザが適切に行える。
【００１３】
また、前記提示部は、前記複数種類のフレームの全部又は一部を、該フレームに前記割合情報を付記して提示することとしてもよい。  
かかる場合には、ユーザが、被る領域の範囲がより狭くなる（又は、被る領域が生じない）フレームを選択する可能性が高くなるため、フレーム付き画像を得たユーザの満足度が高くなるようなフレームの選択を、ユーザが適切に行える。
【００１４】
また、前記位置情報取得部により取得された前記特定領域位置情報と、前記複数種類のフレームの内部領域の位置を示す内部領域位置情報と、に基づいて、前記特定領域の中心と前記内部領域の中心との距離、を示す距離情報、を前記複数種類のフレーム毎に取得するための距離情報取得部を備え、前記提示部は、前記距離情報取得部が取得した前記距離情報を用いて提示を行うこととしてもよい。  
かかる場合には、被る領域の範囲がより狭くなり（又は、被る領域が生じず）、かつ、バランスの良い構図を生じさせるフレーム、をユーザが選択する可能性が高くなるため、フレーム付き画像を得たユーザの満足度が高くなるようなフレームの選択を、ユーザがより一層適切に行える。
【００１５】
また、前記提示部は、前記複数種類のフレームのうち、前記割合情報が示す前記割合が１００％であるフレーム、の提示についてのみ、前記距離情報を用いて提示を行うこととしてもよい。  
かかる場合には、被る領域の範囲が狭くなることをフレーム付き画像の構図のバランスよりも重視するユーザにとって望ましいフレームの提示方法が実現される。
【００１６】
また、前記提示部は、前記割合が１００％であるフレームを、前記距離情報が示す前記距離が小さい順に提示することとしてもよい。  
かかる場合には、被る領域が生じず、かつ、バランスの良い構図を生じさせるフレーム、をユーザが選択する可能性が高くなるため、フレーム付き画像を得たユーザの満足度が高くなるようなフレームの選択を、ユーザがより一層適切に行える。
【００１７】
また、前記特定領域の、ユーザによる指定、を受け付けるための指定受付部、を備えたこととしてもよい。  
かかる場合には、ユーザが自由に特定領域を指定することができる。
【００１８】
また、前記原画像は、人物を被写体とした画像であり、前記特定領域は、該人物の顔部分に対応した領域であることとしてもよい。
【００１９】
また、複数種類のフレームの中からユーザが選択したフレーム、が原画像に付されたフレーム付き画像、をプリントするためのプリントシステムであって、前記原画像上の特定領域、の位置を示す特定領域位置情報を取得するための位置情報取得部と、該位置情報取得部により取得された前記特定領域位置情報と、前記複数種類のフレームの内部領域の位置を示す内部領域位置情報と、に基づいて、前記特定領域及び前記内部領域の重複領域、の前記特定領域に対する割合、を示す割合情報、を前記複数種類のフレーム毎に取得するための割合情報取得部と、前記複数種類のフレームの全部又は一部を、ユーザが選択するフレームの候補としてユーザに提示するための提示部であって、前記割合情報取得部が取得した前記割合情報を用いて提示を行う提示部と、該提示部により提示されたフレームの中からの、ユーザによるフレームの選択、を受け付けるための選択受付部と、該選択受付部にてユーザにより選択されたフレーム、が前記原画像に付された前記フレーム付き画像をプリントするためのプリント部と、を備え、前記提示部は、前記複数種類のフレームのうち、前記割合情報が示す前記割合が高いフレームを優先的に提示し、前記提示部は、前記複数種類のフレームの全部又は一部を、前記割合の高い順に提示し、前記位置情報取得部により取得された前記特定領域位置情報と、前記複数種類のフレームの内部領域の位置を示す内部領域位置情報と、に基づいて、前記特定領域の中心と前記内部領域の中心との距離、を示す距離情報、を前記複数種類のフレーム毎に取得するための距離情報取得部を備え、前記提示部は、前記距離情報取得部が取得した前記距離情報を用いて提示を行い、前記提示部は、前記複数種類のフレームのうち、前記割合情報が示す前記割合が１００％であるフレーム、の提示についてのみ、前記距離情報を用いて提示を行い、前記提示部は、前記割合が１００％であるフレームを、前記距離情報が示す前記距離が小さい順に提示し、前記特定領域の、ユーザによる指定、を受け付けるための指定受付部、を備え、前記原画像は、人物を被写体とした画像であり、前記特定領域は、該人物の顔部分に対応した領域であることを特徴とするプリントシステムも実現可能である。  
このようにすれば、既述の殆どの効果を奏するため、本発明の目的がより有効に達成される。
【００２０】
また、複数種類のフレームの中からユーザが選択したフレーム、が原画像に付されたフレーム付き画像、の該フレームの候補として、前記複数種類のフレームの全部又は一部をユーザに提示するフレーム提示方法であって、前記原画像上の特定領域、の位置を示す特定領域位置情報を取得するステップと、該特定領域位置情報と、前記複数種類のフレームの内部領域の位置を示す内部領域位置情報と、に基づいて、前記特定領域及び前記内部領域の重複領域、の前記特定領域に対する割合、を示す割合情報、を前記複数種類のフレーム毎に取得するステップと、前記複数種類のフレームの全部又は一部を、ユーザが選択するフレームの候補としてユーザに提示するステップであって、前記割合情報を用いて提示を行うステップと、を備えたことを特徴とするフレーム提示方法も実現可能である。  
かかるフレーム提示方法によれば、プリントされたフレーム付き画像を得たユーザの満足度を向上させることが可能となる。
【００２１】
＝＝＝プリントシステムの構成例＝＝＝
ここでは、複数種類のフレームの中からユーザが選択したフレーム、が原画像に付されたフレーム付き画像、をプリントするためのプリントシステム１０の構成例について、図１及び図２を用いて説明する。図１は、プリントシステム１０の構成を示すブロック図である。図２は、複数種類のフレームを並び替える手法を説明するための説明図である。
【００２２】
本実施の形態に係るプリントシステム１０は、撮影部２２と、提示部２５と、位置情報取得部２８と、割合情報取得部３１と、選択受付部３４と、プリント部３７と、これらを制御しプリントシステム１０の動作を司るメインコントローラ５０と、各種の情報（データ）を記憶するメモリ５２とを備えている。
【００２３】
撮影部２２は、デジタルカメラ等を備え、ユーザを撮影する機能を有する。撮影部２２は、プリントシステム１０を利用するユーザを被写体とした画像、の画像データを生成する。本実施の形態においては、撮影部２２が撮影することにより得られた前記画像が、前記フレーム付き画像の原画像（すなわち、フレーム付き画像にフレームが付される前の画像）となる。
【００２４】
提示部２５は、ディスプレイ等を備え、複数種類のフレームを、ユーザが選択するフレームの候補としてユーザに提示する機能を有する。すなわち、提示部２５は、メモリ５２にその画像データが記憶されている複数種類のフレームを、ユーザが見える形態にして、前記原画像に付されるフレームの候補としてユーザに提示する。
【００２５】
なお、本実施の形態に係るプリントシステム１０において、提示部２５は、複数種類のフレームを、単に、メモリ５２に記憶されている順に、ユーザに提示するのではなく、後述する指標に基づいて前記複数種類のフレームを並び替えてからユーザに提示する。
【００２６】
ここで、複数種類のフレームを並び替える手法について説明する。先ず、前記原画像上の特定領域、の位置を示す特定領域位置情報が取得される。ここで、特定領域とは、本実施の形態においては、人物（プリントシステム利用ユーザ）の顔部分に対応した領域であり、公知の顔認識技術を用いて、前記特定領域の位置が把握される。
【００２７】
ここで、図２の上図に着目する。図２の上図には、撮影部２２が撮影することにより得られた前記原画像が表されている。そして、本実施の形態に係る原画像の画像データとして、Ｍ×Ｎ個（Ｘ方向にＭ個、Ｙ方向にＮ個）のドット（画素）毎に、データが存在している（すなわち、原画像の画像データは、Ｍ×Ｎ個の、座標[Ｘｉ，Ｙi]に対応付けられたデータ、からなる）。そして、前記特定領域（図２の上図において、斜線が施された部分）の位置が把握された後に、当該特定領域に含まれる総てのドット、の座標 [Ｘｉ，Ｙi]が、前記特定領域位置情報として取得される。
【００２８】
次に、当該特定領域位置情報と、前記複数種類のフレームの内部領域の位置を示す内部領域位置情報と、に基づいて、前記特定領域及び前記内部領域の重複領域、の前記特定領域に対する割合、を示す割合情報、が前記複数種類のフレーム毎に取得される。
【００２９】
ここで、図２の中央図を参照して、当該内部領域位置情報について説明する。前述したとおり、メモリ５２には、複数種類のフレームの各々に係る画像データが記憶されているが、具体的には、各々のフレームの画像データは、座標[Ｘｉ，Ｙi]に対応付けられた複数のデータからなる。但し、フレームの領域（以下、フレーム領域とも呼ぶ）には、Ｍ×Ｎ個のドットのうちの一部しか含まれていないため、フレームの画像データのデータ量は、前記原画像のそれよりも少なくなる。そして、Ｍ×Ｎドットのうち、フレーム領域に含まれないドットは、フレームの内部領域（図２に中央図において、斜線が施された部分）に含まれるため、メモリ５２からフレームの画像データが取得されると、フレームの内部領域の位置を示す内部領域位置情報（すなわち、内部領域に含まれる総てのドット、の座標 [Ｘｉ，Ｙi]）が得られることとなる。
【００３０】
次に、図２の下図を参照して、特定領域及び内部領域の重複領域の特定領域に対する割合（当該割合を、内部領域割合とも呼ぶ）、を示す割合情報（当該割合情報を、内部領域割合情報とも呼ぶ）、について説明する。プリントシステム１０においては、ユーザにより選択されたフレームが原画像に付されたフレーム付き画像が作成されるが、ユーザがあるフレームを選択したときに、そのフレームのフレーム領域が、前記原画像上の特定領域に被ってしまう可能性がある（図２の下図には、図２の上図に示された原画像に図２の中央図に示されたフレームが付された際に、フレーム領域が、前記原画像上の特定領域に被ってしまった様子が表されている）。
【００３１】
内部領域割合は、特定領域のうちフレーム領域が被っていない有効な領域がどの位の割合で存在するかを示すものであり、この情報が、前記複数種類のフレームの並び替えのための前記指標となる（詳細については、後述する）。そして、内部領域割合は、特定領域及び内部領域の重複領域（図２の下図において、斜線が施された部分）の特定領域に対する割合、によって定義され、前述した特定領域位置情報（特定領域に含まれる総てのドット、の座標 [Ｘｉ，Ｙi]）及び内部領域情報（内部領域に含まれる総てのドット、の座標 [Ｘｉ，Ｙi]）に基づいて、当該内部領域割合を示す内部領域割合情報、が前記複数種類のフレーム毎に取得される。より具体的には、特定領域に含まれる総てのドットに対し、その座標が内部領域に含まれるドットの座標であるか、否か（換言すれば、フレーム領域に含まれるドットの座標であるか）がチェックされ、前者に該当したドットの数が算出される。そして、当該ドットの数の、特定領域に含まれる総てのドット、の数に対する割合が、前記内部領域割合情報として前記複数種類のフレーム毎に取得される。
【００３２】
そして、前記複数種類のフレームは、当該指標（すなわち、内部領域割合情報）に基づいて並び替えられる。より具体的には、前記複数種類のフレームは、特定領域のうちフレーム領域が被っていない有効な領域が多い順、すなわち、内部領域割合情報が示す内部領域割合の高い順、に並び替えられることとなる。
【００３３】
そして、提示部２５は、上で述べた手法により並び替えられた複数種類のフレーム、をユーザに提示することとなる。なお、プリントシステム１０は、上述した並び替え手法の実現のために、位置情報取得部２８と割合情報取得部３１とを備えており、位置情報取得部２８と割合情報取得部３１は、それぞれ、前記特定領域の位置を示す特定領域位置情報を取得する役割と、当該特定領域位置情報及び前記内部領域位置情報とに基づいて前記内部領域割合を示す内部領域割合情報を取得する役割と、を果たす。また、内部領域割合情報に基づいた複数種類のフレームの並び替えは、提示部２５が実行することとなる。
【００３４】
選択受付部３４は、タッチパネル等を備え、提示部２５により提示されたフレームの中からの、ユーザによるフレームの選択、を受け付ける機能を有する。選択受付部３４は、ユーザによるフレームの選択、を受け付けた後に、ユーザが選択したフレームを示すフレーム情報を生成する。
【００３５】
プリント部３７は、選択受付部３４にてユーザにより選択されたフレーム、が前記原画像に付されたフレーム付き画像をプリントする機能を有する。プリント部３７は、先ず、選択受付部３４が生成したフレーム情報が示すフレームを原画像に付すことにより、フレーム付き画像を作成する。例えば、プリント部３７は、Ｍ×Ｎ個のドット（画素）毎に存在する原画像の画像データのうち、そのドットが前記フレーム領域に含まれる画像データについて、フレームの画像データと置き換える。このことにより、フレーム付き画像が作成され、プリント部３７は、作成されたフレーム付き画像をプリントする。
【００３６】
＝＝＝プリントシステムの動作例＝＝＝
次に、上述したプリントシステム１０の動作例について、図３及び図４を用いて説明する。図３は、プリントシステム１０の動作を示すフローチャートである。図４は、フレームが提示されている様子を示した模式図である。
【００３７】
このフローチャートは、撮影部２２が、ユーザを撮影することから始まる（ステップＳ２）。撮影部２２が、ユーザを撮影すると、ユーザを被写体とした画像、すなわち、フレーム付き画像の原画像、の画像データを生成する。
【００３８】
次に、位置情報取得部２８が、前記原画像上の特定領域、の位置を示す特定領域位置情報を取得する（ステップＳ４）。すなわち、位置情報取得部２８は、前記特定領域の位置を把握し、位置が把握された当該特定領域、に含まれる総てのドット、の座標 [Ｘｉ，Ｙi]を、特定領域位置情報として取得する。
【００３９】
そして、割合情報取得部３１が、当該特定領域位置情報と複数種類のフレームの内部領域の位置を示す内部領域位置情報（内部領域に含まれる総てのドット、の座標 [Ｘｉ，Ｙi]）とに基づいて、前記内部領域割合を示す内部領域割合情報、を前記複数種類のフレーム毎に取得する(ステップＳ６)。
【００４０】
次に、提示部２５が、複数種類のフレームを、ユーザが選択するフレームの候補としてユーザに提示する。かかる際に、提示部２５は、特定領域のうちフレーム領域が被っていない有効な領域がどの位の割合で存在するかを示す情報、すなわち、ステップＳ６において取得された内部領域割合情報、を用いて提示を行う（ステップＳ８）。
【００４１】
本実施の形態において、提示部２５は、複数種類のフレームのうち、内部領域割合情報が示す内部領域割合が高いフレームを優先的に提示する。より具体的には、予め用意されている複数種類のフレームの全部を、当該内部領域割合の高い順に提示する。例えば、メモリ５２に記憶されている順に、複数種類のフレームとして第一フレーム、第二フレーム、第三フレーム、第四フレーム、及び、第五フレームが用意されており（実際には、これよりも多くのフレームが用意されているのが通常であるが、ここでは、説明の便宜上、用意されているフレームの数は５つのみであることとする）、第一フレームに係る内部領域割合が１００％、第二フレームに係る内部領域割合が８０％、第三フレームに係る内部領域割合が１００％、第四フレームに係る内部領域割合が９０％、第五フレームに係る内部領域割合が１００％、であった場合には、提示部２５は、第一フレーム、第三フレーム、第五フレーム、第四フレーム、第二フレームの順に、フレームを並び替える（なお、本実施の形態においては、割合が同じものについての並び順は、メモリ５２に記憶されている順となる）。そして、例えば、１ページあたり４つのフレームがページ単位でユーザに提示される場合には、図４に示すように、提示部２５は、１ページ目の左上部に第一フレーム、右上部に第三フレーム、左下部に第五フレーム、右下部に第四フレーム、２ページ目の左上部に第二フレーム、をそれぞれ提示する。
【００４２】
選択するフレームの候補として複数種類のフレームが提示されたユーザは、選択受付部３４にて、フレームを選択する。選択受付部３４は、ユーザによるフレームの選択、を受け付けた後に、ユーザが選択したフレームを示すフレーム情報を生成する(ステップＳ１０)。
【００４３】
次に、プリント部３７が、選択受付部３４にてユーザにより選択されたフレーム、が前記原画像に付されたフレーム付き画像を作成し、作成されたフレーム付き画像をプリントする(ステップＳ１２)。
【００４４】
なお、上記において、提示部２５は、複数種類のフレームの全部をユーザに提示することとしたが、これに限定されるものではなく、複数種類のフレームの一部をユーザに提示することとしてもよい。
【００４５】
＝＝＝上記実施の形態に係るプリントシステムの変形例について＝＝＝
ここでは、前述したプリントシステム１０の変形例について、二つの例を挙げて説明する。
【００４６】
＜＜＜第一変形例＞＞＞
上記実施の形態（以下、第一実施形態とも呼ぶ）においては、提示部２５が内部領域割合情報を用いて提示を行う例として、複数種類のフレームのうち内部領域割合が高いフレームを優先的に提示する例を示したが、提示部２５が、複数種類のフレームをフレームに内部領域割合情報を付記して提示することとしてもよい（第一実施形態の第一変形例）。当該第一変形例においては、メモリ５２に記憶されている順に、複数種類のフレームとして第一フレーム、第二フレーム、第三フレーム、第四フレーム、及び、第五フレームが用意されており、第一フレームに係る内部領域割合が１００％、第二フレームに係る内部領域割合が８０％、第三フレームに係る内部領域割合が１００％、第四フレームに係る内部領域割合が９０％、第五フレームに係る内部領域割合が１００％、であった場合には、図５に示すように、提示部２５は、メモリ５２に記憶されている順にフレームを提示するが、それぞれのフレームに内部領域割合を示す内部領域割合情報を付記する。  
なお、上記において、提示部２５は、複数種類のフレームの全部をユーザに提示することとしたが、これに限定されるものではなく、複数種類のフレームの一部をユーザに提示することとしてもよい。
【００４７】
＜＜＜第二変形例＞＞＞
第一実施形態においては、提示部２５が複数種類のフレームのうち内部領域割合が高いフレームを優先的に提示する例として、複数種類のフレームの全部又は一部を内部領域割合が高い順に提示する例を示したが、提示部２５が、複数種類のフレームのうち、内部領域割合が１００％であるフレームのみを提示することとしてもよい（第一実施形態の第二変形例）。当該第二変形例においては、メモリ５２に記憶されている順に、複数種類のフレームとして第一フレーム、第二フレーム、第三フレーム、第四フレーム、及び、第五フレームが用意されており、第一フレームに係る内部領域割合が１００％、第二フレームに係る内部領域割合が８０％、第三フレームに係る内部領域割合が１００％、第四フレームに係る内部領域割合が９０％、第五フレームに係る内部領域割合が１００％、であった場合には、図６に示すように、提示部２５は、第一フレーム、第三フレーム、及び、第五フレームのみを、メモリ５２に記憶されている順に提示する。
【００４８】
＝＝＝プリントシステムの有効性について＝＝＝
発明が解決しようとする課題の項で説明したとおり、プリントシステム１０を利用するユーザは、ユーザに提示される複数種類のフレームの中からフレームを選択した後に、選択されたフレームが原画像に付されたフレーム付き画像がプリントされたプリント物を得ることとなる。
【００４９】
そのため、プリントシステム１０を利用するユーザが、フレーム選択の際にはユーザ自身が気に入ったフレームを選択したものの、前記プリント物を得て、選択したフレームが原画像に付されたフレーム付き画像、を見たときにフレームの選択を誤ったと考える場合があり得る。
【００５０】
例えば、ユーザが選択したフレームのフレーム領域が原画像の特定領域に被ってしまったフレーム付き画像（図２の下図参照）、をユーザが見たときには、ユーザは、フレームの選択を誤ったと考える。また、ある程度の被りは許容するユーザ、もいることが想定されるが、被っている領域の範囲があまりにも広すぎると、当該ユーザでも、フレームの選択を誤ったと考える。
【００５１】
そして、上記事項に鑑みると、プリントされたフレーム付き画像を得たユーザの満足度が高くなるようなフレームの選択を、ユーザが適切に行えるようなプリントシステム１０等の実現が要請される。
【００５２】
これに対し、上記のプリントシステム１０においては、複数種類のフレームの全部又は一部をユーザが選択するフレームの候補としてユーザに提示するための提示部２５が、前記内部領域割合情報を用いて提示を行うため、プリントされたフレーム付き画像を得たユーザの満足度が高くなるようなフレームの選択を、ユーザが適切に行える。
【００５３】
例えば、第一実施形態で示したように、提示部２５が、複数種類のフレームの全部又は一部を、内部領域割合の高い順に提示すれば、ユーザが、被る領域の範囲がより狭くなる（又は、被る領域が生じない）フレームを選択する可能性が高くなるため、フレーム付き画像を得たユーザの満足度が高くなるようなフレームの選択を、ユーザが適切に行えることとなる。また、第一変形例で示したように、提示部２５が、複数種類のフレームをフレームに内部領域割合情報を付記して提示することとしても、同様である。また、第二変形例で示したように、提示部２５が、内部領域割合が１００％であるフレームのみを提示することとすれば、被る領域が生じるフレームの、ユーザによる選択、が回避されるから、フレーム付き画像を得たユーザの満足度が高くなるようなフレームの選択を、ユーザが適切に行えることとなる。
【００５４】
このように、上記実施の形態に係るプリントシステム１０によれば、プリントされたフレーム付き画像を得たユーザの満足度を向上させることができる。
【００５５】
なお、上記においては、提示部２５が前記内部領域割合情報を用いて提示を行う例として、３つの例を挙げたが、これらに限定されるものではない。例えは、提示部２５が、複数種類のフレームの全部又は一部を、内部領域割合が高ければ高いほど大きなスケール（サイズ）で、提示するようにしてもよい。また、提示部２５が、内部領域割合が所定割合（例えば、９０％）以上のフレームにのみ、お薦めマーク（フレームの選択を推奨することを表したマーク）を付記して、複数種類のフレームの全部又は一部を提示することとしてもよい。
【００５６】
＝＝＝第二実施形態に係るプリントシステムについて＝＝＝
ここでは、第二実施形態に係るプリントシステムについて、図７乃至図１０を用いて説明する。図７は、第二実施形態に係るプリントシステム１０の構成を示すブロック図である。図８は、特定領域の重心と内部領域の重心との距離について説明するための説明図である。図９は、第二実施形態に係るプリントシステム１０の動作を示すフローチャートである。図１０は、第二実施形態に係るプリントシステム１０において、フレームが提示されている様子を示した模式図である。
【００５７】
上述した第一実施形態に係るプリントシステム１０においては、複数種類のフレームの全部又は一部をユーザが選択するフレームの候補としてユーザに提示するための提示部２５が、前記内部領域割合情報を用いて提示を行ったが、当該第二実施形態に係るプリントシステム１０においては、提示部２５が、当該内部領域割合情報に加え、前記特定領域の中心の一例としての重心と内部領域の中心の一例としての重心との距離を示す距離情報、を用いて提示を行う。
【００５８】
ここで、当該距離情報について説明する。プリントシステム１０においては、ユーザにより選択されたフレームが原画像に付されたフレーム付き画像が作成されるが、ユーザがあるフレームを選択したときに、そのフレームの内部領域の重心と前記特定領域との重心とが離れていると、図８の下図に示すように、バランスの悪い構図を備えたフレーム付き画像が作成されることとなる。  
したがって、前記距離は、フレーム付き画像がどれ位バランスの良い構図を備えているかを示すものであり、この情報が、提示部２５によるフレームのユーザへの提示の際に、用いられる。
【００５９】
第二実施形態に係るプリントシステム１０には、図７に示すように、当該距離情報を取得するための距離情報取得部３２が設けられており、当該距離情報取得部３２は、前述した特定領域位置情報（特定領域に含まれる総てのドット、の座標 [Ｘｉ，Ｙi]）及び内部領域位置情報（内部領域に含まれる総てのドット、の座標 [Ｘｉ，Ｙi]）に基づいて、当該距離情報を前記複数種類のフレーム毎に取得する。より具体的には、距離情報取得部３２は、特定領域に含まれる総てのドットの座標 [Ｘｉ，Ｙi]と、前記複数種類のフレームの各々の内部領域に含まれる総てのドットの座標 [Ｘｉ，Ｙi]とから、公知の重心算出アルゴリズムを用いて、特定領域の重心の座標と、前記複数種類のフレームの各々についての内部領域の重心の座標を求める。そして、双方間の距離が、前記距離情報として前記複数種類のフレーム毎に取得される。
【００６０】
提示部２５は、複数種類のフレームを、ユーザが選択するフレームの候補としてユーザに提示する際に、前記内部領域割合情報及び当該距離情報を用いて提示を行う。
【００６１】
本実施の形態において、提示部２５は、第一実施形態と同様、複数種類のフレームのうち、内部領域割合情報が示す内部領域割合が高いフレームを優先的に提示する。より具体的には、予め用意されている複数種類のフレームの全部を、当該内部領域割合の高い順に提示する。これに加えて、提示部２５は、前記複数種類のフレームのうち、内部領域割合が１００％であるフレームの提示について、距離情報を用いて提示を行う。より具体的には、内部領域割合が１００％であるフレームを、距離情報が示す前記距離が小さい順に提示する。
【００６２】
例えば、メモリ５２に記憶されている順に、複数種類のフレームとして第一フレーム、第二フレーム、第三フレーム、第四フレーム、及び、第五フレームが用意されており、第一フレームに係る内部領域割合及び距離がそれぞれ１００％及びｄ１、第二フレームに係る内部領域割合及び距離がそれぞれ８０％及びｄ２（＜ｄ１）、第三フレームに係る内部領域割合及び距離がそれぞれ１００％及びｄ３（＜ｄ２）、第四フレームに係る内部領域割合及び距離がそれぞれ９０％及びｄ４（＜ｄ３）、第五フレームに係る内部領域割合及び距離がそれぞれ１００％及びｄ５（＜ｄ４）、であった場合には、提示部２５は、第五フレーム、第三フレーム、第一フレーム、第四フレーム、第二フレームの順に、フレームを並び替える。そして、例えば、１ページあたり４つのフレームがページ単位でユーザに提示される場合には、図１０に示すように、提示部２５は、１ページ目の左上部に第五フレーム、右上部に第三フレーム、左下部に第一フレーム、右下部に第四フレーム、２ページ目の左上部に第二フレーム、をそれぞれ提示する。
【００６３】
このようなプリントシステム１０においては、前記内部領域割合情報に加え前記距離情報を用いて提示が行われるから、被る領域の範囲がより狭くなり（又は、被る領域が生じず）、かつ、バランスの良い構図を生じさせるフレーム、をユーザが選択する可能性が高くなる。したがって、フレーム付き画像を得たユーザの満足度が高くなるようなフレームの選択を、ユーザがより一層適切に行えることとなる。
【００６４】
なお、上記第二実施形態において、提示部２５は、複数種類のフレームのうち、内部領域割合が１００％であるフレームの提示についてのみ、距離情報を用いて提示を行うこととしたが、これに限定されるものではない。例えば、提示部２５は、ユーザに提示される総てのフレームに距離情報を付記して、該フレームを提示することとしてもよい。
【００６５】
ただし、被る領域の範囲が狭くなることをフレーム付き画像の構図のバランスよりも重視するユーザ（一般的には、このようなユーザの方が、多いと考えられる）にとって望ましいフレームの提示方法が実現される点で、上記第二実施の形態の方がより望ましい。
【００６６】
また、上記第二実施形態において、提示部２５は、内部領域割合が１００％であるフレームを、前記距離情報が示す前記距離が小さい順に提示することとしたが、これに限定されるものではない。例えば、提示部２５が、内部領域割合が１００％であるフレームを、前記距離が小さければ小さいほど大きなスケール（サイズ）で、提示するようにしてもよい。
【００６７】
＝＝＝その他の実施の形態＝＝＝
以上、上記実施の形態に基づき本発明に係るプリントシステム１０等を説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【００６８】
上記においては、プリントシステム１０としてプリントシール機を例にとって説明したが、本発明は、各種のプリントシステム１０に適用可能である。例えば、ユーザが所有するメディア（フロッピーディスク、ＣＤ−Ｒ、メモリカード等）に保存された電子ファイルを読み込んで、電子ファイルに格納された画像をプリントする自動写真プリント機や、パーソナルコンピュータ及びプリンタを備えたコンピュータシステムなど、にも適用可能である。
【００６９】
また、上記において、フレーム付き画像の原画像は、撮影部２２が撮影することにより得られた画像であることとしたが、これに限定されるものではない。例えば、当該原画像は、プリントシステム１０が前記自動写真プリント機やコンピュータシステム等である場合には、メディア読み取り部により前記メディアから読み取られた電子ファイル、に格納された画像であってもよい。また、プリントシステム１０がスキャナを有するコンピュータシステム等である場合には、スキャナにより読み取られた画像であってもよい。
【００７０】
また、プリントシステム１０が、撮影することにより得られた画像や前記電子ファイルに格納された画像やスキャナにより読み取られた画像、をユーザの要求に応じて拡大、縮小する機能を備えている場合には、これらの画像を拡大、縮小したものを、前記原画像としてもよい。
【００７１】
また、上記において、位置情報取得部２８は、前記特定領域の位置を、顔認識技術を用いて、自動的に把握することとしたが、これに限定されるものではない。例えば、プリントシステム１０に、特定領域の、ユーザによる指定、を受け付けるための指定受付部が設けられており、位置情報取得部２８が、指定受付部にてユーザが指定した特定領域、の位置を把握することとしてもよい。
【００７２】
また、双方を組み合わせてもよい。例えば、前記原画像が二人のユーザを被写体とした画像であった場合に、位置情報取得部２８は、各々のユーザの特定領域（顔部分に対応した領域）を自動的に把握して、双方の領域をユーザに提示し、指定受付部が、特定領域のユーザによる選択（すなわち、二者選択）、を受け付けるようにしてもよい。また、ユーザが双方とも選択しないという選択肢も用意され、この場合に、ユーザが、タッチペン等で、特定領域を指定する（描く）ことができるようになっていてもよい。
【００７３】
このように、プリントシステム１０が、前記指定受付部を備えている場合には、ユーザが自由に特定領域を指定することができる点で、望ましい。
【００７４】
また、上記においては、前記原画像は、人物を被写体とした画像であり、前記特定領域は、該人物の顔部分に対応した領域であることとしたが、これに限定されるものではない。例えば、前記特定領域は、人物の他の部分に対応した領域であってもよいし、犬や猫等のペットの顔部分に対応した領域であってもよい。
【００７５】
また、上記においては、特定領域に含まれる総てのドットに対し、その座標が内部領域に含まれるドットの座標であるか否かがチェックされることにより、前者に該当したドットの数が算出され、算出されたドットの数の、特定領域に含まれる総てのドット、の数に対する割合が求められることにより、内部領域割合が導出されたが、これに限定されるものではない。例えば、特定領域及び内部領域の双方を正方形状に近似し、特定領域のドット行数（ドット列数）の何割がフレーム領域ではなく内部領域内に含まれるかを算出することにより、内部領域割合を導出してもよい。
【００７６】
また、上記においては、提示部２５が、複数種類のフレームを、ユーザが選択するフレームの候補としてユーザに提示する際には、フレーム自体を提示することとしたが、これに限定されるものではなく、前記候補としての、複数種類のフレームの各々、が現画像に付されたフレーム付き画像、を提示することとしてもよい。
【図面の簡単な説明】
【００７７】
【図１】プリントシステム１０の構成を示すブロック図である。
【図２】複数種類のフレームを並び替える手法を説明するための説明図である。
【図３】プリントシステム１０の動作を示すフローチャートである。
【図４】第一実施形態に係るプリントシステム１０において、フレームが提示されている様子を示した模式図である。
【図５】第一変形例に係るプリントシステム１０において、フレームが提示されている様子を示した模式図である。
【図６】第二変形例に係るプリントシステム１０において、フレームが提示されている様子を示した模式図である。
【図７】第二実施形態に係るプリントシステム１０の構成を示すブロック図である。
【図８】特定領域の重心と内部領域の重心との距離について説明するための説明図である。
【図９】第二実施形態に係るプリントシステム１０の動作を示すフローチャートである。
【図１０】第二実施形態に係るプリントシステム１０において、フレームが提示されている様子を示した模式図である。
【符号の説明】
【００７８】
１０  プリントシステム
２２  撮影部
２５  提示部
２８  位置情報取得部
３１  割合情報取得部
３２  距離情報取得部
３４  選択受付部
３７  プリント部
５０  メインコントローラ
５２  メモリ
【図１】
2007276175.tif 000003
【図２】
2007276175.tif 000004
【図３】
2007276175.tif 000005
【図４】
2007276175.tif 000006
【図５】
2007276175.tif 000007
【図６】
2007276175.tif 000008
【図７】
2007276175.tif 000009
【図８】
2007276175.tif 000010
【図９】
2007276175.tif 000011
【図１０】
2007276175.tif 000012